(57)【特許請求の範囲】
【請求項１】
横向きに置いて上面を開口する直方体型の格納持ち出し箱２の長手側面上方で蝶番９によりヒンジ結合し全面に多数の通気孔６を開口する平板状の蓋３に依って開閉する箱としての下方部と、前記蓋３の上面を枕置き台として、この枕置き台上に枕１４、１５、１６を配置する上方の枕部１とから成り、前記蓋３には枕固定用のバンド４を通す通し穴５を多数適宜に配置して枕１４、１５、１６の大きさに合わせた位置の通し穴５に通すバンド４により枕１４，１５，１６を締め付けて固定できるようにし、更に前記蝶番９を設ける側に枕の滑り止め７を突設すると共に対向する側には、箱２の外側面に設ける施錠装置１０と対の施錠装置１０を施し、前記格納持ち出し箱２には、その一方の左右のいずれか一方の側壁外側に携帯用把手８を設け、更に、左右側面四隅の外側下方に接続装置１１を設けて、該接続装置１１に回動自在に両端部が結合するコ字状高低調整台１２と組み合わせることによって、枕部１の高さ及び角度を可変にして使用することのできる枕兼非常箱。
【請求項２】
前記枕を、前記蓋３の長手方向の長さに略等しい長さの短断面が円筒形の袋型枕１４と前記蓋３の長手方向の長さに略等しい長さの、内部が空間となる細長い空隙型枕１５と前記蓋３と略同形の四角形状の座布団枕１６で構成する請求項１記載の枕兼非常箱。
【発明の詳細な説明】
【０００１】
【発明の属する技術分野】
本発明は、枕と非常用持ち出し箱を一体化する枕兼非常箱に関するものであり、特には枕の高低を調節できる枕兼非常箱に関するものである。
【０００２】
【従来の技術】
従来、多種類の寝具としての枕が実用されているが殆どが頭部を支えることを目的としたものであり、一部には防災用箱枕も知られているが構造が固定されたものであり以下に記すような機能上の課題を残すものであった。
即ち、便宜性、医療的利便性、物品の保管・管理上の利便性、高さ・角度の可変性及び非常時における携帯性に関して満足できるものではなかった。
【０００３】
【発明が解決しようとする課題】
本発明は、上記課題を改善することを目的とする利用価値、付加価値の高い枕と非常時における携帯可能な箱を兼ね備える枕を提供することを課題とするものである。
【０００４】
【課題を解決するための手段】
本発明に関る枕兼非常箱は、直方体状の格納持ち出し箱２の横に置いたときの上面となる面を開口し、長手方向の開口辺部の一辺で蝶番９によってヒンジ結合し、同一辺部に枕の滑り落ち防止用の滑り止め７を突設する枕置き台となる平板状の蓋３を設けて開閉できるようにするとともに、該蓋３には多数の通気孔６を全面に施し、更に、枕１４，１５、１６を固定するバンド４を通す通し穴５を多数適宜に配置して下方部としての箱と、前記蓋３の上方に枕１４，１５，１６を乗せて固定する枕部１とから成り、前記格納兼持ち出し箱２の左右側面のいずれかの片側に携帯用把手８を設け、左右側面の下方四隅に、格納持ち出し箱２の長さに相当する幅を有するコ字形状高低調整台１２の二個を、それぞれの曲がり部１３の端部が独立して可動するように、取付けよう穴に嵌合させて成る接続装置１１を設けて、該高低調整台１２に依って、枕の高低及び傾斜角度を可変にして課題を解決するものである。
【０００５】
亦、請求項２に記載の発明にあっては、形状、大きさの異なる枕として、長さが略格納持ち出し箱２の長さに等しく短断面が円筒形である袋型枕１４と長さが略前記箱２の長さに相当する内部が空間となる細長い空隙型枕１５及び前記箱２と略同形状の座布団型枕１６に特定する請求項１記載の枕兼非常箱として課題を解決している。
【０００６】
【発明の実施の形態】
以下、図面に示す実施例に従って発明の実施形態を詳述する。図１〜図６に示す実施例では、格納持ち出し２は直方体の左右の横幅が凡そ４２０mm、縦幅が凡そ２００ｍｍ、高さが凡そ５０ｍｍの大きさの上面部が開口する箱を示してある。この上面部を、格納持ち出し２の横辺部片側二箇所で、横長さが約３２ｍｍ、縦長さが約２４ｍｍの蝶番３により結合する厚さが略８ｍｍ程度、大きさが開口部の面積に略等しいの蓋３を設けて開閉できるようになっている。亦、格納持ち出し箱２の左右側面のいずれか一側壁に非常時に持ち出すための携帯用把手８を設けてある。この把手８の大きさは、取付縦長さが約１４８ｍｍ、幅１７ｍｍ程度であり握り部の空隙は縦横の長さが約２０ｍｍ、７２ｍｍのものである。格納持ち出し箱２の左右の側面下方二隅に高低調整台１１を取り付けるための穴径約５ｍｍの雄雌螺子と組み合わせる直径約２２ｍｍの円形ノブを有する接続装置１１を設けるものである。
【０００７】
蓋３には、枕を締め支える、幅が約２８mm、長さが３００mm〜６００ｍｍの面ファスナ−等の二本のバンド４を通す横幅が約３０mm、縦幅が約５ｍｍの通し穴５を、枕に合わせる位置に対応して適宜配置して凡そ１４箇所に開口し、更に、穴径が約６mmの通気孔６を全面に凡そ１２２箇所に開口してある。
【０００８】
蓋３の蝶番９を設ける側の上面に縦と横の長さが略１０mm、長さが４００mmの断面が四角の棒状の、枕の滑り落ちを防止するための滑り止め７を横にして固定し、反対側端辺中央部に長さが凡そ１６ｍｍの施錠装置１０を盗難防止用に設けてある。
【０００９】
図３~図６には枕の高さを調節する高低調整台１１の実施例を示してある。格納持ち出し２の横幅に合わせる凡そ４２８mmの長さで横幅と縦幅が約２８mm、1５ｍｍの棒状体でコ字形状をしており、長さが約６５mmのその曲がり部１３の端部に接続用の約６mmの穴を穿ち、左右側面の下方二隅において前後二箇所にそれぞれ独立して可動するように接続装置１１により回動可能に結合して成るものであり、凡そ０ｍｍから５０ｍｍの範囲で格納兼非常箱２の高低調整が可能となるもので、格納持ち出し箱２の高さは最高約１００mmまで持ち上げることが可能となり、二個の高低調整台１１が独立して可動するので傾斜をつけることも出来ることになる。
【００１０】
図４には、蓋３の上面を枕部１として、この上に配置する枕として、直径が凡そ７５mmの断面が円形状の、長さが格納持ち出し箱２の寸法に合わせた、細長い袋状の袋型枕１４の実施例を示してある。
【００１１】
図５は他の枕の実施例を示すもので、空隙を造るために、断面が方形で縦横の長さがそれぞれ約７ｍｍ、約８ｍｍ、全長が約４２０ｍｍの細長い棒状体で、最高高さが約２２ｍｍの底幅が約８０ｍｍの半月状になるように湾曲させて、格納持ち出し箱２の長さに合う様に、７本を等間隔に配置した枠体に、同形状の厚さが約６ｍｍの半月状板８枚を約６０ｍｍの等間隔に立てた状態に配置して接着し、この半月板間に空隙を形成して成る空隙型枕１５とするものである。
【００１２】
図６に示す枕は、蓋３の大きさに略等しい大きさの縦と横の幅が約２００ｍｍと約４２０ｍｍで厚さが約５０ｍｍの四角の平たい座布団型枕１６とするものである。
【００１３】
【発明の効果】
本発明は、上述の構成により次のような固有の効果を有するものである。
直接頭部を支える枕部１に設けるバンド４により、枕に応じて通し穴５を選択して固定でき、各種枕の使用が容易となる。
格納持ち出し箱２内に保冷剤等を収納して使用することで、頭部冷却が持続的に行なうことが可能となり、亦、通信機器の格納により寝ながら音楽を楽しみニュ−ス等の情報を得ることが出来、薬草なり香料を収納することで癒しの効果も期待できるものとなる。
蓋３に施錠装置１０を施すことで、貴金属或いは重要書類等の保管が就寝中でも安心して出来るために、管理上好ましいものとなる。
高低調整台１２を設けることにより、枕の高さ、角度を可変にでき、最も使用し易い状態で寝ることが可能となる。
袋型枕１４、空隙型枕１５の使用は、頭部と枕の接触面積を小さくして、頭部と顔面等の空気の流通を良くし、発汗などによる枕濡れ防止或いは発汗抑制の効果の他に横向きに寝ながら読書等をする場合に視線を妨害しないという効果がある。
以上の効果の他に、最も顕著な効果として、災害等の非常事態に重要な物品などを、就寝中の精神的に不安を発生し易いときに狼狽することなく持ち出しが出来ることが挙げられる。
【図面の簡単な説明】
【図１】  格納兼持ち出し箱の一実施例を示す斜視図である。
【図２】  前記実施例の蓋、バンドの取付け状態図である。
【図３】  格納兼持ち出し箱に高低調整台を取付けた状態の斜視図である。
【図４】  枕の取付け状態図である。
【図５】  他の枕の取付け状態図である。
【図６】  更に他の枕の取付け状態図である。
【符号の説明】
１    枕部
２    格納持ち出し箱
３    蓋
４    バンド
５    通し穴
６    通気孔
７    滑り止め
８    把手
９    蝶番
１０  施錠装置
１１  接続装置
１２  高低調整台
１３  曲がり部
１４  袋型枕
１５  空隙型枕
１６  座布団型枕
【図１】
0003650830.tif 000002
【図２】
0003650830.tif 000003
【図３】
0003650830.tif 000004
【図４】
0003650830.tif 000005
【図５】
0003650830.tif 000006
【図６】
0003650830.tif 000007